(57)【特許請求の範囲】
【請求項１】
吹出口と吸込口とを設けた本体ケースと、この本体ケース内に前記吸込口から前記吹出口に送風する送風手段を設け、この送風手段の風下側風路に静電霧化手段を備え、前記吹出口には、開閉自在に手動で回動する風向ルーバーを設け、この風向ルーバーを閉じた場合に、前記風向ルーバーと前記吹出口の周縁部との間に第１の空間を備え、前記風向ルーバーは、略横長平板形状の平板部と、この平板部の回動の中心となる軸部とから形成し、前記風向ルーバーを閉じるように回動した場合に、最も前記吹出口の開口面積が小さい状態で前記本体ケース前面側の端面が仰角方向に開き前記本体ケースの前面側に吹き出すように前記平板部が傾いた位置で止まる傾斜手段を設け、前記送風手段と前記静電霧化手段とを動作させた場合に、手動で前記風向ルーバーを開け忘れても前記本体ケースの前面側に吹き出すことを特徴とする静電霧化装置。
【請求項２】
傾斜手段は、前記風向ルーバーの前記平板部の端部から延びたルーバー突起部と、前記吹出口の周縁部から延びた吹出口突起部とから形成した請求項１に記載の静電霧化装置。
【請求項３】
風向ルーバーは、可撓性樹脂材料で形成した請求項１または２のいずれかに記載の静電霧化装置。
【請求項４】
吹出口には、前記風向ルーバーである第１の風向ルーバーと第２の風向ルーバーとを設け、これら第１の風向ルーバーと第２の風向ルーバーとの間に第２の空間を備えた請求項１〜３のいずれかに記載の静電霧化装置。
【請求項５】
第１の風向ルーバーと第２の風向ルーバーとは、連動して開閉するように回動連動手段を備えた請求項１〜４のいずれかに記載の静電霧化装置。
【請求項６】
第１の風向ルーバーおよび第２の風向ルーバーと、前記吹出口の周縁部とは同じ樹脂材料で形成した請求項１〜５のいずれかに記載の静電霧化装置。
【請求項７】
第１の風向ルーバーおよび第２の風向ルーバーと、前記吹出口の周縁部とを異なる樹脂材料で形成し、前記第１の風向ルーバーおよび前記第２の風向ルーバーは、前記吹出口より帯電列がマイナスよりである請求項１〜５のいずれかに記載の静電霧化装置。
【発明の詳細な説明】
【技術分野】
【０００１】
本発明は、水に高電圧を印加することにより水微粒子を生成する低騒音の静電霧化装置に関する。
【背景技術】
【０００２】
従来のこの種の静電霧化装置の構成は以下のようになっていた。
【０００３】
すなわち、吹出口と吸込口とを設けた本体ケースと、この本体ケース内の前記吸込口から前記吹出口への風路に静電霧化手段を備えた構成となっていた。（例えば、これに類似する先行文献は下記特許文献１に記載されている）。
【先行技術文献】
【特許文献】
【０００４】
【特許文献１】特開２００５−２７９３３０号公報
【発明の概要】
【発明が解決しようとする課題】
【０００５】
上記従来例における課題は、静電霧化装置の使用感が悪いということであった。
【０００６】
すなわち、従来の物においては、吹出口に格子部を設け、この格子部によって風向が決まっており、風向を変化させることが出来なかった。
【０００７】
そこで、回動式の風向板により手動で開閉すると共に、風向を変化させる方法は知られているが、この場合、静電霧化装置を使い終わり、風向板を閉じた場合に、次に使用する時には、常に風向板を開ける作業が必要となり、使用感の悪いものとなってしまう。
【０００８】
そこで本発明は、静電霧化装置の使用感の向上を目的とするものである。
【課題を解決するための手段】
【０００９】
そしてこの目的を達成するために本発明は、吹出口と吸込口とを設けた本体ケースと、この本体ケース内に前記吸込口から前記吹出口に送風する送風手段を設け、この送風手段の風下側風路に静電霧化手段を備え、前記吹出口には、開閉自在に手動で回動する風向ルーバーを設け、この風向ルーバーを閉じた場合に、前記風向ルーバーと前記吹出口の周縁部との間に第１の空間を備え、前記風向ルーバーは、略横長平板形状の平板部と、この平板部の回動の中心となる軸部とから形成し、前記風向ルーバーを閉じるように回動した場合に、最も前記吹出口の開口面積が小さい状態で前記本体ケース前面側の端面が仰角方向に開き前記本体ケースの前面側に吹き出すように前記平板部が傾いた位置で止まる傾斜手段を設け、前記送風手段と前記静電霧化手段とを動作させた場合に、手動で前記風向ルーバーを開け忘れても前記本体ケースの前面側に吹き出すことを特徴とし、これにより、初期の目的を達成するものである。
【発明の効果】
【００１０】
以上のように本発明は、吹出口と吸込口とを設けた本体ケースと、この本体ケース内に前記吸込口から前記吹出口に送風する送風手段を設け、この送風手段の風下側風路に静電霧化手段を備え、前記吹出口には、開閉自在に手動で回動する風向ルーバーを設け、この風向ルーバーを閉じた場合に、前記風向ルーバーと前記吹出口の周縁部との間に第１の空間を備え、前記風向ルーバーは、略横長平板形状の平板部と、この平板部の回動の中心となる軸部とから形成し、前記風向ルーバーを閉じるように回動した場合に、最も前記吹出口の開口面積が小さい状態で前記本体ケース前面側の端面が仰角方向に開き前記本体ケースの前面側に吹き出すように前記平板部が傾いた位置で止まる傾斜手段を設け、前記送風手段と前記静電霧化手段とを動作させた場合に、手動で前記風向ルーバーを開け忘れても前記本体ケースの前面側に吹き出すことを特徴とするものであり、使用感が向上できるものである。
【００１１】
すなわち、静電霧化装置を動作させた場合に、使用者が風向ルーバーを開け忘れても、風向ルーバーと吹出口との間に第１の空間を備えているので、この第１の空間から静電霧化手段で発生した帯電微粒子水が、送風手段の送風によって室内に供給でき、風向ルーバーを閉じるように回動した場合に、最も前記吹出口の開口面積が小さい状態で本体ケース前面側の端面が仰角方向に開き本体ケースの前面側に吹き出すように平板部が傾いた位置で止まる傾斜手段を設けたので、最も吹出口の開口面積が小さい状態で、最も風速の高い状態となり、使用者が静電霧化装置の使用開始時に、風向ルーバーを開け忘れていることに気づかせることが出来る。
【００１２】
これらの結果により、静電霧化装置の使用感が向上できるものである。
【図面の簡単な説明】
【００１３】
【図１】本発明の実施の形態１の静電霧化装置の概略図
【図２】本発明の実施の形態１の静電霧化装置の概略断面を示す図
【図３】本発明の実施の形態１の静電霧化装置の概略断面を示す図
【図４】本発明の実施の形態１の静電霧化装置の吹出口の展開概略図
【図５】本発明の実施の形態１の静電霧化装置の吹出口の概略図
【図６】本発明の実施の形態１の静電霧化装置の風向ルーバーの概略図
【図７】本発明の実施の形態１の静電霧化装置の概略図
【図８】本発明の実施の形態２の静電霧化装置の吹出口の展開概略図
【発明を実施するための形態】
【００１４】
以下、本実施形態を添付図面を用いて説明する。
【００１５】
（実施の形態１）
図１から図３に示すように、本実施形態の静電霧化装置は、本体ケース１には、吹出口２と吸気口３とを有し、この本体ケース１内には、送風手段４を備えている。吹出口２は、略横長四角形状で略縦長箱形状の本体ケース１の天面に位置し、吸気口３は、略四角形状で本体ケース１の側面背面側の下部に位置し、着脱自在なフィルター５を備えている。
【００１６】
送風手段４は、室内の空気を吸気口３から本体ケース１内に吸い込み、吹出口２より室内に送風するもので、この送風手段４の風下側風路に静電霧化手段６を備えている。
【００１７】
送風手段４はファンケーシング７と、このファンケーシング７内に設けられた遠心送風型の羽根８と、この羽根８を回転させる電動機９とから形成されている。ファンケーシング７は、略縦長箱形状で、天面には略横長四角形状の吐出口１０を備え、側面背面側の下部には円形状の吸込口１１を設けている。この吸込口１１に対向した位置に、羽根８および電動機９を備え、この電動機９の上部に回路部分１２を設けたものである。また、羽根８を囲むように、ファンケーシング７であるスクロール部１３を設けている。このスクロール部１３は、ファンケーシング７の左右側面の下部で形成された側面スクロール部分１４と、ファンケーシングの底面部で形成された底面スクロール部分１５と、ファンケーシングの左右側面中央部の一方からファンケーシング中央方向に延びた円弧形状の上部スクロール部分１６とから構成している。この円弧形状の上部スクロール部分１６の先端には、舌片部１７を備えている。
【００１８】
ファンケーシング７の円弧形状の上部スクロール部分１６の上部に、静電霧化手段６を設けている。
【００１９】
以上の構成で、静電霧化装置を運転すると、送風手段４によって、室内の空気を吸気口３から本体ケース１内に吸い込み、吹出口２より室内に送風する空気に乗せて、静電霧化手段６で発生したマイナスに帯電した帯電微粒子水も、室内に送風するものである。
【００２０】
本実施形態における特徴は、図４から図７に示すように、吹出口２に、開閉自在に手動で回動する風向ルーバー１８を設け、この風向ルーバー１８を閉じた場合に、風向ルーバー１８と吹出口２の周縁部との間に第１の空間１９を備えた構造にある。具体的には、風向ルーバー１８は、略横長平板形状の平板部２０と、この平板部２０の両短手端面から下方向に延びた略四角平板形状の軸固定板部２１と、この軸固定板部２１から外側に延びた円柱形状の軸部２２とから形成し、この軸部２２が、吹出口２の周縁部から下方向の延びた筒形状のフランジ部２３に設けた略円形状の軸受孔部２４に回動自在に装着されるものである。ここで、風向ルーバー１８を閉じた場合、つまり、風向ルーバー１８である平板部２０を回動させ水平にした場合でも、吹出口２の周縁部であるフランジ部２３と、風向ルーバー１８である平板部２０との間に第１の空間１９を備えたものである。
【００２１】
すなわち、静電霧化装置を動作させた場合に、使用者が風向ルーバー１８を開け忘れても、風向ルーバー１８と吹出口２の周縁部であるフランジ部２３との間に第１の空間１９を備えているので、この第１の空間１９から静電霧化手段６で発生した帯電微粒子水が、送風手段４の送風によって室内に供給できる。
【００２２】
これらの結果により、静電霧化装置の使用感が向上できるものである。
【００２３】
また、風向ルーバー１８は、略横長平板形状の平板部２０と、この平板部２０の回動の中心となる軸部２２とから形成し、風向ルーバー１８を閉じた場合に、平板部２０が傾いた位置で止まる傾斜手段２５を設けたものである。
【００２４】
具体的には、傾斜手段２５は、風向ルーバー１８の平板部２０の端部の軸固定板部２１から延びたルーバー突起部２６と、吹出口２の周縁部から延びた吹出口突起部２７とから形成したものである。ルーバー突起部２６は、軸固定板部２１から外側に延びた突起で、吹出口突起部２７は、吹出口２の周縁部から下方向の延びた筒形状のフランジ部２３の内面から内方に延びた突起である。風向ルーバー１８の軸部２２を中心に、風向ルーバー１８を開けると、風向ルーバー１８である平板部２０の本体ケース１前面側の端面が上に上がり、つまり平板部２０の本体ケース１前面側の端面が仰角方向に開くものである。ここで、風向ルーバー１８の軸部２２を中心に、風向ルーバー１８を閉じるように回動させ、風向ルーバー１８である平板部２０を水平にしようとすると、風向ルーバー１８のルーバー突起部２６が、吹出口２のフランジ部２３の内面から内方に延びた吹出口突起部２７に当たり、風向ルーバー１８である平板部２０が所定の角度で傾斜し止まるものである。一例として、風向ルーバー１８である平板部２０の傾斜の角度は、５度から２５度がよく、更には約１５度がよい。
【００２５】
このように、風向ルーバー１８を閉じるように回動させた場合に、風向ルーバー１８のルーバー突起部２６が、吹出口２のフランジ部２３の内面から内方に延びた吹出口突起部２７に当たり、風向ルーバー１８である平板部２０が所定の角度で傾斜し止まるので、風向ルーバー１８と吹出口２との間に隙間２９ができ、その状態で静電霧化装置を動作させた場合に、使用者が風向ルーバーを開け忘れても、風向ルーバー１８と吹出口２との間に隙間２９を備えているので、この隙間２９から静電霧化手段６で発生した帯電微粒子水が、送風手段４の送風によって室内に供給できる。また、風向ルーバー１８の平板部２０が所定の角度で傾斜し止まると、本体ケース１前面側の端面が仰角方向に開いているので、本体ケース１の前面側に吹き出し、更に、最も吹出口２の開口面積が小さい状態なので、最も風速の高い状態となり、使用者が静電霧化装置の使用開始時に、風向ルーバー１８を開け忘れていることに気づかせることが出来る。
【００２６】
また、風向ルーバー１８は、可撓性樹脂材料で形成したものである。これにより、風向ルーバー１８を閉じる場合、つまり風向ルーバー１８のルーバー突起部２６が、吹出口２のフランジ部２３の内面から内方に延びた吹出口突起部２７に当たり、所定の角度で傾斜し止まり、更に、風向ルーバー１８を閉じる方向に押した場合にも、風向ルーバー１８は、可撓性樹脂材料であるので、風向ルーバー１８がしなり、風向ルーバー１８のルーバー突起部２６、および吹出口２のフランジ部２３の吹出口突起部２７が破損することを低減できる。
【００２７】
また、吹出口２には、風向ルーバー１８である第１の風向ルーバー１８ａと第２の風向ルーバー１８ｂとを設け、これら第１の風向ルーバー１８ａと第２の風向ルーバー１８ｂとの間に第２の空間３０を備えたものである。具体的には、本体ケース１天面の略横長四角形状の吹出口２の、本体ケース１の前面側に第１の風向ルーバー１８ａを設け、本体ケース１の背面側に第２の風向ルーバー１８ｂを設け、これら第１の風向ルーバー１８ａと第２の風向ルーバー１８ｂとの間に第２の空間３０を備えたものである。
【００２８】
すなわち、静電霧化装置を動作させた場合に、使用者が風向ルーバー１８を開け忘れても、第１の風向ルーバー１８ａと第２の風向ルーバー１８ｂとの間に第２の空間３０を備えているので、この第２の空間３０から静電霧化手段６で発生した帯電微粒子水を、送風手段４の送風によって室内に供給できる。
【００２９】
また、第１の風向ルーバー１８ａと第２の風向ルーバー１８ｂとは、連動して開閉するように回動連動手段３１を備えたものである。具体的には、第１の風向ルーバー１８ａは、略横長平板形状の第１の平板部２０ａと、この第１の平板部２０ａの両短手端面から下方向に延びた略四角平板形状の第１の軸固定板部２１ａと、この第１の軸固定板部２１ａから外側に延びた円柱形状の第１の軸部２２ａと、この第１の軸部２２ａの先端部に略円板形状の第１の連結軸固定板部３２ａと、この第１の連結軸固定板部３２ａの周縁部に第１の連結軸固定板部３２ａから外側に延びた円柱形状の第１の連結軸部３３ａとから形成している。同様に、第２の風向ルーバー１８ｂは、略横長平板形状の第２の平板部２０ｂと、この第２の平板部２０ｂの両短手端面から下方向に延びた略四角平板形状の第２の軸固定板部２１ｂと、この第２の軸固定板部２１ｂから外側に延びた円柱形状の第２の軸部２２ｂと、この第２の軸部２２ｂの先端部に略円板形状の第２の連結軸固定板部３２ｂと、この第２の連結軸固定板部３２ｂの周縁部に第２の連結軸固定板部３２ｂから外側に延びた円柱形状の第２の連結軸部３３ｂとから形成しているものである。そして、回動連動手段３１は、略横長平板形状で長手方向の両端部に丸孔形状の連結孔部３４を備えおり、この両端部の連結孔部３４に、第１の風向ルーバー１８ａの第１の連結軸部３３ａと、第２の風向ルーバー１８ｂの第２の連結軸部３３ｂとが回動自在に嵌るものである。
【００３０】
すなわち、第１の風向ルーバー１８ａを回動すると、第２の風向ルーバー１８ｂも同じ角度に回動し、同様に第２の風向ルーバー１８ｂを回動すると、第１の風向ルーバー１８ａも同じ角度に回動するので、第１の風向ルーバー１８ａ、または第２の風向ルーバー１８ｂのどちらかを回動し、開閉することにより、第１の風向ルーバー１８ａ、および第２の風向ルーバー１８ｂのどちらも開閉することができるので、第１の風向ルーバー１８ａ、および第２の風向ルーバー１８ｂの操作性を向上することができる。
【００３１】
また、第１の風向ルーバー１８ａおよび第２の風向ルーバー１８ｂと、吹出口２の周縁部とは同じ樹脂材料で形成したものである。これにより、第１の風向ルーバー１８ａである第１の軸固定板部２１ａ、第１の軸部２２ａ、第１の連結軸固定板部３２ａ、および第２の風向ルーバー１８ｂである第２の軸固定板部２１ｂ、第２の軸部２２ｂ、第２の連結軸固定板部３２ｂと、吹出口２の周縁部のフランジ部２３、軸受孔部２４とが、擦れ合っても帯電し難いので、マイナスに帯電した帯電微粒子水が、第１の風向ルーバー１８ａ、第２の風向ルーバー１８ｂ、および吹出口２の周縁部のフランジ部２３で減少することを抑制できる。
【００３２】
（実施の形態２）
以下、本発明の実施の形態２における静電霧化装置について図面を参照しながら説明する。なお、実施の形態１の構成と同様の構成を有するものについては、同一符号を付してその説明を省略する。
【００３３】
実施の形態１と相違する点は、図８に示す第１の風向ルーバー１８ｃおよび第２の風向ルーバー１８ｄと、吹出口２ｃの周縁部である。具体的には、第１の風向ルーバー１８ｃおよび第２の風向ルーバー１８ｄと、吹出口２ｃの周縁部とを異なる樹脂材料で形成し、第１の風向ルーバー１８ｃおよび第２の風向ルーバー１８ｄは、吹出口２より帯電列がマイナスよりである。これにより、第１の風向ルーバー１８ｃである第１の軸固定板部２１ｃ、第１の軸部２２ｃ、第１の連結軸固定板部３２ｃ、および第２の風向ルーバー１８ｄである第２の軸固定板部２１ｄ、第２の軸部２２ｄ、第２の連結軸固定板部３２ｄと、吹出口２ｃの周縁部のフランジ部２３ｃ、軸受孔部２４ｃとが、擦れ合っても、第１の風向ルーバー１８ｃおよび第２の風向ルーバー１８ｄはマイナスに帯電するため、マイナスに帯電した帯電微粒子水が、第１の風向ルーバー１８ｃ、および第２の風向ルーバー１８ｄで減少することを抑制できることができる。
【産業上の利用可能性】
【００３４】
以上のように本発明は、吹出口と吸込口とを設けた本体ケースと、この本体ケース内に前記吸込口から前記吹出口に送風する送風手段を設け、この送風手段の風下側風路に静電霧化手段を備え、前記吹出口には、開閉自在に手動で回動する風向ルーバーを設け、この風向ルーバーを閉じた場合に、前記風向ルーバーと前記吹出口との間に第１の空間を備えたものであり、使用感が向上できるものである。
【００３５】
すなわち、静電霧化装置を動作させた場合に、使用者が風向ルーバーを開け忘れても、風向ルーバーと吹出口との間に第１の空間を備えているので、この第１の空間から静電霧化手段で発生した帯電微粒子水が、送風手段の送風によって室内に供給できる。
【００３６】
これらの結果により、静電霧化装置の使用感が向上できるものである。
【００３７】
従って、家庭用や事務所用などの、静電霧化装置として活用が期待されるものである。
【符号の説明】
【００３８】
１      本体ケース
２      吹出口
２ｃ    吹出口
３      吸気口
４      送風手段
５      フィルター
６      静電霧化手段
７      ファンケーシング
８      羽根
９      電動機
１０    吐出口
１１    吸込口
１２    回路部分
１３    スクロール部
１４    側面スクロール部分
１５    底面スクロール部分
１６    上部スクロール部分
１７    舌片部
１８    風向ルーバー
１８ａ  第１の風向ルーバー
１８ｂ  第２の風向ルーバー
１８ｃ  第１の風向ルーバー
１８ｄ  第２の風向ルーバー
１９    第１の空間
２０    平板部
２０ａ  第１の平板部
２０ｂ  第２の平板部
２１    軸固定板部
２１ａ  第１の軸固定板部
２１ｂ  第２の軸固定板部
２１ｃ  第１の軸固定板部
２１ｄ  第２の軸固定板部
２２    軸部
２２ａ  第１の軸部
２２ｂ  第２の軸部
２２ｃ  第１の軸部
２２ｄ  第２の軸部
２３    フランジ部
２３ｃ  フランジ部
２４    軸受孔部
２４ｃ  軸受孔部
２５    傾斜手段
２６    ルーバー突起部
２７    吹出口突起部
２９    隙間
３０    第２の空間
３１    回動連動手段
３２ａ  第１の連結軸固定板部
３２ｂ  第２の連結軸固定板部
３２ｃ  第１の連結軸固定板部
３２ｄ  第２の連結軸固定板部
３３ａ  第１の連結軸部
３３ｂ  第２の連結軸部
３４    連結孔部
【図１】
0005577643.tif 000002
【図２】
0005577643.tif 000003
【図３】
0005577643.tif 000004
【図４】
0005577643.tif 000005
【図５】
0005577643.tif 000006
【図６】
0005577643.tif 000007
【図７】
0005577643.tif 000008
【図８】
0005577643.tif 000009